(57)【要約】      （修正有）【課題】噴射方向を容易に確認でき、消毒作業が簡単な携帯型のアルコールカード型スプレーを提供する。【解決手段】アルコールカード型スプレー１は、アルコール液が溜められる容器２を備え、容器２の一端部に設けられ、容器２の中のアルコール液を容器２に対して予め定めた方向に噴射するノズルヘッド２３を含むプッシュ式ポンプ１４を備える。アルコールカード型スプレー１は、アルコール液が噴射される前方から見て矩形に形成されているとともに、扁平に形成されている。【選択図】図４
0003229305.tif 000002
【実用新案登録請求の範囲】
【請求項１】
アルコール液が溜められる容器と、
前記容器の一端部に設けられ、前記容器の中のアルコール液を前記容器に対して予め定めた方向に噴射するノズルヘッドを含むプッシュ式ポンプとを備え、
アルコール液が噴射される前方から見て矩形に形成されているとともに、扁平に形成されていることを特徴とするアルコールカード型スプレー。
【請求項２】
請求項１記載のアルコールカード型スプレーにおいて、
さらに、前記矩形の一辺に沿って移動するように前記容器の前記一端部に設けられたスライド式カバーを備え、
前記ノズルヘッドは、前記スライド式カバーのスライド方向の一端部に位置付けられ、
前記スライド式カバーは、前記ノズルヘッドが前記スライド式カバー内に収容される収容位置と、前記ノズルヘッドが露出する開放位置との間でスライド可能に前記容器に支持されていることを特徴とするアルコールカード型スプレー。
【請求項３】
請求項２記載のアルコールカード型スプレーにおいて、
前記容器の前記一端部は、前記収容位置に位置している前記スライド式カバーに沿って延びる天井壁と、前記スライド式カバーと共に前記矩形の前記一辺を構成するように前記天井壁から突出する凸壁とを有し、
前記スライド式カバーは、前記収容位置に位置している状態で前記天井壁によって閉塞される第１の開口と、前記凸壁によって閉塞される第２の開口とを有するキャップ状に形成されているとともに、前記開放位置に位置している状態で前記第１の開口と前記第２の開口との境界となる部分が前記容器から離れる方向に傾斜可能に構成され、
前記第１の開口と前記第２の開口との境界となる部分は、前記前方から見て円弧状に丸みを帯びた形状に形成されていることを特徴とするアルコールカード型スプレー。
【考案の詳細な説明】
【技術分野】
【０００１】
本考案は、扁平に形成された携帯型のアルコールカード型スプレーに関する。
【背景技術】
【０００２】
従来、携帯型のスプレーとしては、例えば特許文献１に記載されているものがある。特許文献１に開示されたスプレーは、液体が溜められる円筒状の容器と、この容器の一端部に取付けられたプッシュ式ポンプとを備えている。プッシュ式ポンプは、先端に操作子として機能するノズルヘッドを有しており、このノズルヘッドが容器に向けて押されることにより動作し、容器内の液体をノズルヘッドに圧送する。ノズルヘッドは、円柱状に形成されており、圧送された液体を霧状に変えて噴射する噴射口を有している。噴射口は、霧状の液体が容器の軸線方向とは直交する方向に向けて噴射されるようにノズルヘッドの外周部に開口している。
【先行技術文献】
【特許文献】
【０００３】
【特許文献１】実用新案登録第３０６７１７６号公報
【考案の概要】
【考案が解決しようとする課題】
【０００４】
特許文献１に開示されているスプレーでは、使用者が手で持っただけでは噴射方向が分からないから、使用する度にノズルヘッドの噴射口の位置を目視で確認しなければならない。このため、手指をアルコールで消毒するために特許文献１に示すスプレーを使用すると、消毒作業が煩雑になるという問題があった。
【０００５】
本考案の目的は、噴射方向を容易に確認でき、消毒作業が簡単な携帯型のスプレーを提供することである。
【課題を解決するための手段】
【０００６】
この目的を達成するために本考案に係るアルコールカード型スプレーは、アルコール液が溜められる容器と、前記容器の一端部に設けられ、前記容器の中のアルコール液を前記容器に対して予め定めた方向に噴射するノズルヘッドを含むプッシュ式ポンプとを備え、アルコール液が噴射される前方から見て矩形に形成されているとともに、扁平に形成されているものである。
【０００７】
本考案は、前記アルコールカード型スプレーにおいて、さらに、前記矩形の一辺に沿って移動するように前記容器の前記一端部に設けられたスライド式カバーを備え、前記ノズルヘッドは、前記スライド式カバーのスライド方向の一端部に位置付けられ、前記スライド式カバーは、前記ノズルヘッドが前記スライド式カバー内に収容される収容位置と、前記ノズルヘッドが露出する開放位置との間でスライド可能に前記容器に支持されていてもよい。
【０００８】
本考案は、前記アルコールカード型スプレーにおいて、前記容器の前記一端部は、前記収容位置に位置している前記スライド式カバーに沿って延びる天井壁と、前記スライド式カバーと共に前記矩形の前記一辺を構成するように前記天井壁から突出する凸壁とを有し、前記スライド式カバーは、前記収容位置に位置している状態で前記天井壁によって閉塞される第１の開口と、前記凸壁によって閉塞される第２の開口とを有するキャップ状に形成されているとともに、前記開放位置に位置している状態で前記第１の開口と前記第２の開口との境界となる部分が前記容器から離れる方向に傾斜可能に構成され、前記第１の開口と前記第２の開口との境界となる部分は、前記前方から見て円弧状に丸みを帯びた形状に形成されていてもよい。
【考案の効果】
【０００９】
本考案によれば、アルコール液の噴射方向は、容器の形状に関連付けられているから、容器を手で持ったときの容器の姿勢に対応して決まる。したがって、アルコール液の噴射方向を容易に確認でき、消毒作業が簡単な携帯型のアルコールカード型スプレーを提供することができる。
【図面の簡単な説明】
【００１０】
【図１】図１は、本考案に係るアルコールカード型スプレーの斜視図である。
【図２】図２は、本考案に係るアルコールカード型スプレーの斜視図である。
【図３】図３は、本考案に係るアルコールカード型スプレーを示す図である。
【図４】図４は、スライド式カバーを開放位置に移動させた状態にあるアルコールカード型スプレーの正面図である。
【図５】図５は、本考案に係るアルコールカード型スプレーの断面図である。
【図６】図６は、容器の上端部を拡大して示す斜視図である。
【図７】図７は、スライド式カバーを示す図である。
【考案を実施するための形態】
【００１１】
以下、本考案に係るアルコールカード型スプレーの一実施の形態を図１〜図７を参照して詳細に説明する。
図１に示すアルコールカード型スプレー１は、アルコール液を例えば使用者（図示せず）の手指などの除菌部に吹き付けるために使用できるもので、図１および図３（Ａ）〜（Ｅ）に示すように全体が扁平に、すなわちカード状に形成されている。図３（Ａ）はアルコールカード型スプレーの平面図、図３（Ｂ）は正面図、図３（Ｃ）は側面図、図３（Ｄ）はスライド式カバーを開いた状態における正面図、図３（Ｅ）はスライド式カバーを開いた状態における背面図である。以下において、アルコールカード型スプレー１の説明を行う上で方向を示すにあたっては、便宜上、図１において最も広く描かれている面を前面１ａとし、この前面１ａと垂直にかつ前面１ａから離れる方向を前方として前方から見たときの方向で行う。
【００１２】
この実施の形態によるアルコールカード型スプレー１は、前方から見て全体が上下方向に長い矩形となるように形成されており、図示していない使用者が手で把持できる大きさに形成されている。このアルコールカード型スプレー１は、図１に示すように、容器２と、容器２の上端部の一部を覆うスライド式カバー３とが外観に現れるように構成されている。スライド式カバー３は、詳細は後述するが、上述した矩形の一辺｛図３（Ｂ）においては上辺｝に沿って移動するように容器２の上端部（一端部）に設けられている。
【００１３】
このアルコールカード型スプレー１の容器２とスライド式カバー３とを含めた全体の正面視｛図３（Ｂ）参照｝における縦横比、すなわち縦方向の長さＨ／横方向の長さＷの値からなる縦横比は、１．２〜１．６である。また、アルコールカード型スプレー１の全体の横方向の長さＷ／厚みＴ｛図３（Ａ）参照｝の値からなる幅厚比は３〜５である。
【００１４】
容器２は、図４に示すように、図４の最も下に描いてある底部材４と、この底部材４の上に接着された有底筒状の容器本体５とによって構成され、内部にアルコール液（図示せず）が溜められる液室６が形成されている。図４は、図３（Ｃ）におけるIV−IV線断面図である。
容器本体５の上端部には、図４および図６に示すように、液室６の蓋となる天井壁１１と、天井壁１１の右側（図４においては左側）の端部から上方に突出する凸壁１２と、天井壁１１の左側の部分から上方に突出する角筒状の筒体１３とが設けられている。天井壁１１は、スライド式カバー３に沿って延びるように形成されており、後述するプッシュ式ポンプ１４を支持するための支持板１１ａを有している。支持板１１ａは、天井壁１１の右側（図４においては左側）の端部に位置している。支持板１１ａには、この支持板１１ａを上下方向に貫通する貫通孔１５が形成されている。
【００１５】
凸壁１２は、後述するスライド式カバー３と協働してアルコールカード型スプレー１の上端部を構成するもので、容器２の右側の端部に設けられている。この実施の形態による凸壁１２は、スライド式カバー３と共に上述した矩形の一辺を構成している。
筒体１３の前側の壁１３ａと後側の壁１３ｂ（図６参照）とには、それぞれ左右方向に延びるスリット１６が形成されている。これらのスリット１６は、後述するスライド式カバー３を左右方向に移動自在に支持するガイドを構成している。
【００１６】
プッシュ式ポンプ１４は、従来からよく知られている構造のもので、図４および図５に示すように、天井壁１１の貫通孔１５に着脱可能に嵌合する取付部２１と、取付部２１から上方に突出する上部パイプ２２と、上部パイプ２２に着脱可能に取付けられたノズルヘッド２３と、取付部２１から下方に突出するポンプ本体２４などを備えている。この実施の形態によるプッシュ式ポンプ１４は、容器２の右側の端部、すなわち後述するスライド式カバー３のスライド方向の一端部に設けられている。
【００１７】
上部パイプ２２は、ポンプ本体２４に上下方向に移動自在に取付けられているとともに、ポンプ本体２４内に設けられているばね部材（図示せず）によって上方に向けて付勢されている。この上部パイプ２２は、ノズルヘッド２３が下方に向けて押されることにより取付部２１（ポンプ本体２４）に上方から押し込まれ、ノズルヘッド２３が押されなくなるとばね部材のばね力によって初期の位置に復帰する。
【００１８】
ノズルヘッド２３は、下方に向けて開放される有底角筒状に形成されている。ノズルヘッド２３の左右方向の中央部には、上部パイプ２２が着脱可能に嵌合する穴２５（図５参照）と、液体を霧状に変えて噴射する噴射口２６とが設けられている。この実施の形態によるノズルヘッド２３は、図２に示すように噴射口２６が前方を指向する状態で上部パイプ２２に取付けられている。すなわち、このノズルヘッド２３は、容器２の中のアルコール液を容器２に対して予め定めた方向に噴射するものである。なお、ノズルヘッド２３は、図示してはいないが、噴射口２６が後方を指向するように上部パイプ２２に取付けることも可能である。
ポンプ本体２４は、上部パイプ２２がノズルヘッド２３とともに繰り返し押されることにより、下端の吸込管２４ａから容器２内のアルコール液を吸い上げてノズルヘッド２３に圧送し、このアルコール液をノズルヘッド２３の噴射口２６から噴射する。
【００１９】
スライド式カバー３は、図７（Ａ），（Ｂ）に示すように、上方に向けて凸になる断面Ｕ字状であって、左右方向に長くなる形状に形成されている。図７（Ａ）はスライド式カバーの右側から見た側面図、図７（Ｂ）は図７（Ａ）におけるVII−VII線断面図である。この実施の形態によるスライド式カバー３は、図７（Ａ），（Ｂ）において下方に向けて開口する第１の開口２７と、アルコールカード型スプレー１の右方｛図７（Ｂ）において左方｝に向けて開口する第２の開口２８とを有し、上述した矩形の一辺に沿うように延びるキャップ状に形成されている。第１の開口２７は、図４に示すようにスライド式カバー３がノズルヘッド２３を覆う収容位置に位置している状態で天井壁１１によって閉塞される。第２の開口２８は、右方向に向けて開放される開放端となるように開口しており、図４に示すようにスライド式カバー３がノズルヘッド２３を覆う収容位置に位置している状態で凸壁１２によって閉塞される。
【００２０】
このスライド式カバー３の前側の壁３ａと後側の壁３ｂとには、それぞれスライド式カバー３内に向けて突出する突起３１，３１が設けられている。これらの突起３１，３１は、容器２の上述したスリット１６の中に移動できるように挿入されている。スライド式カバー３は、これらの突起３１，３１がスリット１６に挿入されることによって、容器２に左右方向へ移動自在に支持されている。すなわち、スライド式カバー３は、図１に示すように、ノズルヘッド２３がスライド式カバー３内に収容される収容位置と、図２に示すように、ノズルヘッド２３が露出する開放位置との間でスライド可能に容器２に支持されている。
【００２１】
前側の壁３ａと後側の壁３ｂとにおける、上述した第１の開口と第２の開口との境界となる部分２９は、図７（Ｂ）に示すように、アルコールカード型スプレー１の前方から見て円弧状に丸みを帯びた形状に形成されている。
この実施の形態によるスライド式カバー３は、図３（Ｄ）中に二点鎖線で示すように、開放位置に位置している状態で突起３１を軸として傾斜可能に構成されている。スライド式カバー３が傾斜する方向は、第１の開口２７と第２の開口２８との境界となる部分２９が容器２に対して上方に離れる方向である。このようにスライド式カバー３が傾斜することによって、ノズルヘッド２３の周囲が広く開放されるようになる。
【００２２】
このアルコールカード型スプレー１にアルコール液を注入する場合は、図５に示すようにプッシュ式ポンプ１４を容器２から取外した状態で行う。プッシュ式ポンプ１４を容器２から取外すためには、先ず、スライド式カバー３を開放位置に移動させ、ノズルヘッド２３を上部パイプ２２から上方に取外す。そして、上部パイプ２２を例えばペンチ（図示せず）などの工具によって把持して上方へ引き、取付部２１およびポンプ本体２４を貫通孔１５から上方に引き出す。このようにプッシュ式ポンプ１４が容器２から外されることによって貫通孔１５が開口するので、この貫通孔１５を通してアルコール液を容器２内の液室６に注入する。注入終了後は、上記とは逆の手順でプッシュ式ポンプ１４を容器２に取付ける。
【００２３】
このように構成されたアルコールカード型スプレー１を使用して例えば手指にアルコール液を吹き付けるためには、図示していない使用者が容器２を手で把持し、図２に示すように、スライド式カバー３を開放位置に移動させた状態でノズルヘッド２３を容器２に向けて（下方に向けて）押して行う。ノズルヘッド２３がこのように押されることにより、噴射口２６から霧状のアルコール液が噴射される。このとき、アルコール液の噴射方向は、アルコールカード型スプレー１の前方であり、容器２の形状に関連付けられた方向である。このため、アルコール液の噴射方向は、容器２を手で持ったときの容器２の姿勢に対応して決まる。
したがって、この実施の形態によれば、アルコール液の噴射方向を容易に確認でき、消毒作業が簡単な携帯型のアルコールカード型スプレーを提供することができる。
【００２４】
この実施の形態によるアルコールカード型スプレー１は、容器２の一端部（上端部）を覆うスライド式カバー３を備えている。ノズルヘッド２３は、スライド式カバー３のスライド方向の一端部（右側の端部）に位置付けられている。スライド式カバー３は、ノズルヘッド２３がスライド式カバー３内に収容される収容位置と、前記ノズルヘッド２３が露出する開放位置との間でスライド可能に容器２に支持されている。
このため、使用しないときはスライド式カバー３を収容位置に位置付けておくことにより噴射口２６をスライド式カバー３で覆って隠すことができるから、衛生的である。また、スライド式カバー３は容器２から外れることがないから、これを紛失することもない。
【００２５】
この実施の形態によるアルコールカード型スプレー１の全体の正面視における縦横比は、１．２〜１．６であり、幅厚比は３〜５である。このため、このアルコールカード型スプレー１は、手で把持し易い形状に形成することができる。
【００２６】
また、この実施の形態によるスライド式カバー３は、第１の開口２７と第２の開口２８との境界となる部分２９が容器２から離れる方向に傾斜可能に構成されている。第１の開口２７と第２の開口２８との境界となる部分２９は、前方から見て円弧状に丸みを帯びた形状に形成されている。
このため、スライド式カバー３を容器２に対して傾斜させた状態で容器２から突出する部分に鋭利な角が形成されることがない。
【符号の説明】
【００２７】
１…アルコールカード型スプレー、２…容器、３…スライド式カバー、１４…プッシュ式ポンプ、２３…ノズルヘッド、２７…第１の開口、２８…第２の開口、２９…第１の開口と第２の開口との境界となる部分。
【図１】
0003229305.tif 000003
【図２】
0003229305.tif 000004
【図３】
0003229305.tif 000005
【図４】
0003229305.tif 000006
【図５】
0003229305.tif 000007
【図６】
0003229305.tif 000008
【図７】
0003229305.tif 000009